(57)【要約】【課題】無線通信システムにおけるＭ２Ｍ（ｍａｃｈｉｎｅ−ｔｏ−ｍａｃｈｉｎｅ）装置によるデータ送信方法を提供する。【解決手段】前記Ｍ２Ｍ装置は、送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージを基地局に送信し、Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージを前記基地局から受信する。前記Ｍ２Ｍ  ＳＭＳ要求が前記基地局により承認（ａｃｃｅｐｔ）された場合、前記Ｍ２Ｍ装置は、前記基本ＣＩＤに基づいて前記Ｍ２Ｍ  ＳＭＳを含む第２のレンジング要求メッセージを前記基地局に送信し、Ｍ２Ｍ  ＳＭＳ確認（ｃｏｎｆｉｒｍａｔｉｏｎ）を含む第２のレンジング応答メッセージを前記基地局から受信する。【選択図】図８
2013005430.tif 000002
【特許請求の範囲】
【請求項１】
無線通信システムにおけるＭ２Ｍ（ｍａｃｈｉｎｅ−ｔｏ−ｍａｃｈｉｎｅ）装置によるデータ送信方法において、
前記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、
Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージ（ｒａｎｇｉｎｇ  ｒｅｓｐｏｎｓｅ  ｍｅｓｓａｇｅ）を前記基地局から受信し、前記Ｍ２Ｍ  ＳＭＳ応答は前記Ｍ２Ｍ  ＳＭＳ要求に対応され、前記Ｍ２Ｍ  ＳＭＳ要求が前記基地局により承認（ａｃｃｅｐｔ）されたかどうかを前記Ｍ２Ｍ装置に知らせ、
前記Ｍ２Ｍ  ＳＭＳ要求が前記基地局により承認（ａｃｃｅｐｔ）された場合、前記基本ＣＩＤに基づいて前記Ｍ２Ｍ  ＳＭＳを含む第２のレンジング要求メッセージを前記基地局に送信し、及び、
前記Ｍ２Ｍ  ＳＭＳが前記基地局により成功的に受信されたかどうかを指示するＭ２Ｍ  ＳＭＳ確認（ｃｏｎｆｉｒｍａｔｉｏｎ）を含む第２のレンジング応答メッセージを前記基地局から受信することを含むデータ送信方法。
【請求項２】
前記臨時ＣＩＤタイマは、前記基本ＣＩＤの寿命期間（ｌｉｆｅ  ｔｉｍｅ  ｄｕｒａｔｉｏｎ）を指示することを特徴とする請求項１に記載のデータ送信方法。
【請求項３】
前記臨時ＣＩＤタイマは、前記Ｍ２Ｍ装置が前記第１のレンジング応答メッセージを受信する時に開始されることを特徴とする請求項２に記載のデータ送信方法。
【請求項４】
前記基本ＣＩＤは、前記第２のレンジング応答メッセージが受信された後に、または前記臨時ＣＩＤタイマが満了（ｅｘｐｉｒｅ）された場合に解除（ｒｅｌｅａｓｅ）されることを特徴とする請求項２に記載のデータ送信方法。
【請求項５】
前記Ｍ２Ｍ  ＳＭＳ要求は、前記Ｍ２Ｍ  ＳＭＳのバイト（ｂｙｔｅ）の数を指示することを特徴とする請求項１に記載のデータ送信方法。
【請求項６】
前記Ｍ２Ｍ  ＳＭＳは、アイドルモードで維持されたサービスフロー（ｓｅｒｖｉｃｅ  ｆｌｏｗ）に基づいて送信されることを特徴とする請求項１に記載のデータ送信方法。
【請求項７】
前記サービスフローは、前記サービスフローが生成される時に定義されるアイドルモード維持プリファレンスパラメータ（ｉｄｌｅ  ｍｏｄｅ  ｒｅｔａｉｎ  ｐｒｅｆｅｒｅｎｃｅ  ｐａｒａｍｅｔｅｒ）に基づいて維持されることを特徴とする請求項６に記載のデータ送信方法。
【請求項８】
前記アイドルモード維持プリファレンスパラメータの値は、１であることを特徴とする請求項７に記載のデータ送信方法。
【請求項９】
前記第１のレンジング応答メッセージは、臨時伝送（ｔｒａｎｓｐｏｒｔ）ＣＩＤ及びＣＩＤアップデートＴＬＶ（ｔｙｐｅ−ｌｅｎｇｔｈ−ｖａｌｕｅ）を含み、前記ＣＩＤアップデートＴＬＶは、前記サービスフローと前記臨時伝送ＣＩＤとの間のマッピングに関する情報を指示することを特徴とする請求項６に記載のデータ送信方法。
【請求項１０】
無線通信システムにおけるＭ２Ｍ（ｍａｃｈｉｎｅ−ｔｏ−ｍａｃｈｉｎｅ）装置によるデータ送信方法において、
放送ページングメッセージ（ｂｒｏａｄｃａｓｔ  ｐａｇｉｎｇ  ｍｅｓｓａｇｅ）を基地局から受信し、前記放送ページングメッセージの行動コード（ａｃｔｉｏｎ  ｃｏｄｅ）は、位置アップデート（ｌｏｃａｔｉｏｎ  ｕｐｄａｔｅ）を指示し、
前記Ｍ２Ｍ  ＳＭＳ、基本（ｂａｓｉｃ）ＣＩＤ（ｃｏｎｎｅｃｔｉｏｎ  ｉｄｅｎｔｉｆｉｅｒ）、及び臨時ＣＩＤタイマを含むレンジング応答メッセージ（ｒａｎｇｉｎｇ  ｒｅｓｐｏｎｓｅ  ｍｅｓｓａｇｅ）を前記基地局から受信し、及び、
前記Ｍ２Ｍ  ＳＭＳが前記Ｍ２Ｍ装置により成功的に受信されたかどうかを指示するＭ２Ｍ  ＳＭＳ確認（ｃｏｎｆｉｒｍａｔｉｏｎ）を含むレンジング要求メッセージを前記基地局に送信することを含むデータ送信方法。
【請求項１１】
前記臨時ＣＩＤタイマは、前記基本ＣＩＤの寿命期間（ｌｉｆｅ  ｔｉｍｅ  ｄｕｒａｔｉｏｎ）を指示することを特徴とする請求項１０に記載のデータ送信方法。
【請求項１２】
無線通信システムにおけるＭ２Ｍ（ｍａｃｈｉｎｅ−ｔｏ−ｍａｃｈｉｎｅ）装置において、
無線信号を送信または受信するＲＦ（ｒａｄｉｏ  ｆｒｅｑｕｅｎｃｙ）部；及び、
前記ＲＦ部と連結されるプロセッサ；を含み、
前記プロセッサは、
前記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、
Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）及び、臨時ＣＩＤタイマを含む第１のレンジング応答メッセージ（ｒａｎｇｉｎｇ  ｒｅｓｐｏｎｓｅ  ｍｅｓｓａｇｅ）を前記基地局から受信し、前記Ｍ２Ｍ  ＳＭＳ応答は前記Ｍ２Ｍ  ＳＭＳ要求に対応され、前記Ｍ２Ｍ  ＳＭＳ要求が前記基地局により承認（ａｃｃｅｐｔ）されたかどうかを前記Ｍ２Ｍ装置に知らせ、
前記Ｍ２Ｍ  ＳＭＳ要求が前記基地局により承認（ａｃｃｅｐｔ）された場合、前記基本ＣＩＤに基づいて前記Ｍ２Ｍ  ＳＭＳを含む第２のレンジング要求メッセージを前記基地局に送信し、及び、
前記Ｍ２Ｍ  ＳＭＳが前記基地局により成功的に受信されたかどうかを指示するＭ２Ｍ  ＳＭＳ確認（ｃｏｎｆｉｒｍａｔｉｏｎ）を含む第２のレンジング応答メッセージを前記基地局から受信するように構成されるＭ２Ｍ装置。
【請求項１３】
前記臨時ＣＩＤタイマは、前記基本ＣＩＤの寿命期間（ｌｉｆｅ  ｔｉｍｅ  ｄｕｒａｔｉｏｎ）を指示することを特徴とする請求項１２に記載のＭ２Ｍ装置。
【請求項１４】
前記臨時ＣＩＤタイマは、前記Ｍ２Ｍ装置が前記第１のレンジング応答メッセージを受信する時に開始されることを特徴とする請求項１３に記載のＭ２Ｍ装置。
【請求項１５】
前記基本ＣＩＤは、前記第２のレンジング応答メッセージが受信された後に、または前記臨時ＣＩＤタイマが満了（ｅｘｐｉｒｅ）された場合に解除（ｒｅｌｅａｓｅ）されることを特徴とする請求項１３に記載のＭ２Ｍ装置。
【発明の詳細な説明】
【技術分野】
【０００１】
本発明は、無線通信に関し、より詳しくは、無線通信システムにおけるデータ送信方法及び装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年ＩＴＵ（Ｉｎｔｅｒｎａｔｉｏｎａｌ  Ｔｅｌｅｃｏｍｍｕｎｉｃａｔｉｏｎ  Ｕｎｉｏｎ）傘下のＩＴＵ−Ｒ（ＩＴＵ−Ｒａｄｉｏｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための六番目の規格であり、‘ＷＭＡＮ−ＯＦＤＭＡ  ＴＤＤ’という名称で採択された。ＩＴＵ−Ｒは、ＩＭＴ−２０００以後の次世代４Ｇ移動通信規格であり、ＩＭＴ−Ａｄｖａｎｃｅｄシステムを準備している。ＩＥＥＥ８０２．１６  ＷＧ（Ｗｏｒｋｉｎｇ  Ｇｒｏｕｐ）は、２００６年末ＩＭＴ−Ａｄｖａｎｃｅｄシステムのための規格として既存ＩＥＥＥ８０２．１６ｅの修正（ａｍｅｎｄｍｅｎｔ）規格を作成することを目標にＩＥＥＥ８０２．１６ｍプロジェクトの推進を決定した。前記目標で分かるように、ＩＥＥＥ８０２．１６ｍ規格は、ＩＥＥＥ８０２．１６ｅ規格の修正という過去の連続性と次世代ＩＭＴ−Ａｄｖａｎｃｅｄシステムのための規格という未来の連続性である二つの側面を内包している。従って、ＩＥＥＥ８０２．１６ｍ規格は、ＩＥＥＥ８０２．１６ｅ規格に基づいたＭｏｂｉｌｅ  ＷｉＭＡＸシステムとの互換性（ｃｏｍｐａｔｉｂｉｌｉｔｙ）を維持しつつ、ＩＭＴ−Ａｄｖａｎｃｅｄシステムのための進歩した要求事項を満たすことを要求している。
【０００３】
ＩＥＥＥ８０２．１６ｅ規格及びＩＥＥＥ８０２．１６ｍ規格に基づき、機械大機械（Ｍ２Ｍ；Ｍａｃｈｉｎｅ−ｔｏ−Ｍａｃｈｉｎｅ）通信のために最適化されたＩＥＥＥ８０２．１６ｐ規格を開発中である。Ｍ２Ｍ通信は、人間との相互作用（ｉｎｔｅｒａｃｔｉｏｎ）無しに核心網（ｃｏｒｅ  ｎｅｔｗｏｒｋ）内で加入者局（ｓｕｂｓｃｒｉｂｅｒ  ｓｔａｔｉｏｎ）とサーバ（ｓｅｒｖｅｒ）との間または加入者国間に実行される情報交換（ｉｎｆｏｒｍａｔｉｏｎ  ｅｘｃｈａｎｇｅ）で定義されることができる。ＩＥＥＥ８０２．１６ｐ規格は、ＩＥＥＥ８０２．１６規格のＭＡＣ（Ｍｅｄｉｕｍ  Ａｃｃｅｓｓ  Ｃｏｎｔｒｏｌ）の向上（ｅｎｈａｎｃｅｍｅｎｔ）と許可された帯域（ｌｉｃｅｎｓｅｄ  ｂａｎｄｓ）内でＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）物理階層（ＰＨＹ；ｐｈｙｓｉｃａｌ  ｌａｙｅｒ）の最小限の変化を議論中である。ＩＥＥＥ８０２．１６ｐ規格が論議されることによって、許可された帯域内で広帯域無線カバレッジ（ｗｉｄｅ  ａｒｅａ  ｗｉｒｅｌｅｓｓ  ｃｏｖｅｒａｇｅ）を要求し、監視及び制御（ｏｂｓｅｒｖａｔｉｏｎ  ａｎｄ  ｃｏｎｔｒｏｌ）の目的のために自動化された（ａｕｔｏｍａｔｅｄ）Ｍ２Ｍ通信の適用範囲が広くなることができる。
【０００４】
数多くのＭ２Ｍアプリケーション（ａｐｐｌｉｃａｔｉｏｎ）は、ネットワーク接続（ｎｅｔｗｏｒｋ  ａｃｃｅｓｓ）接続時、一般的に人間により開始されたり制御される（ｈｕｍａｎ−ｉｎｉｔｉａｔｅｄ  ｏｒ  ｈｕｍａｎ−ｃｏｎｔｒｏｌｌｅｄ）ネットワーク接続のための要求事項（ｒｅｑｕｉｒｅｍｅｎｔｓ）と相当異なる要求事項を要求する。Ｍ２Ｍアプリケーションは、車両のための通信（ｖｅｈｉｃｕｌａｒ  ｔｅｌｅｍａｔｉｃｓ）、生体センサ（ｂｉｏ−ｓｅｎｓｏｒｓ）のヘルスケアモニタリング（ｈｅａｌｔｈｃａｒｅ  ｍｏｎｉｔｏｒｉｎｇ）、遠隔維持及び制御（ｒｅｍｏｔｅ  ｍａｉｎｔｅｎａｎｃｅ  ａｎｄ  ｃｏｎｔｒｏｌ）、スマート計器（ｓｍａｒｔ  ｍｅｔｅｒｉｎｇ）、及び消費者装置（ｃｏｎｓｕｍｅｒ  ｄｅｖｉｃｅ）の自動化されたサービス（ａｕｔｏｍａｔｅｄ  ｓｅｒｖｉｃｅ）などを含むことができる。Ｍ２Ｍアプリケーションの要求事項は、超低電力消耗（ｖｅｒｙ  ｌｏｗｅｒ  ｐｏｗｅｒ  ｃｏｎｓｕｍｐｔｉｏｎ）、多数の装置端末（ｌａｒｇｅｒ  ｎｕｍｂｅｒｓ  ｏｆ  ｄｅｖｉｃｅｓ）、短いバースト送信（ｓｈｏｒｔ  ｂｕｒｓｔ  ｔｒａｎｓｍｉｓｓｉｏｎ）、装置の変更検出及び報告（ｄｅｖｉｃｅ  ｔａｍｐｅｒｉｎｇ  ｄｅｔｅｃｔｉｏｎ  ａｎｄ  ｒｅｐｏｒｔｉｎｇ）、向上された装置認証（ｉｍｐｒｏｖｅｄ  ｄｅｖｉｃｅ  ａｕｔｈｅｎｔｉｃａｔｉｏｎ）などを含むことができる。
【０００５】
ＩＥＥＥ８０２．１６ｐ規格でもＩＥＥＥ８０２．１６ｍ規格と同様にショートメッセージサービス（ＳＭＳ；Ｓｈｏｒｔ  ｍｅｓｓａｇｅ  ｓｅｒｖｉｃｅ）の送信がサポートされることができる。短いバーストの送信というＭ２Ｍ装置の特性上、Ｍ２Ｍ装置の効率的なＳＭＳ送信が要求される。また、Ｍ２Ｍ装置は、主に、アイドルモード（ｉｄｌｅ  ｍｏｄｅ）状態で動作すると予想されるため、アイドルモードでシグナリングオーバーヘッドを減らしつつＳＭＳを送信するための効率的な方法が必要である。
【発明の概要】
【発明が解決しようとする課題】
【０００６】
本発明の技術的課題は、データ送信方法及び装置を提供することである。本発明は、特に、アイドルモード（ｉｄｌｅ  ｍｏｄｅ）にあるＭ２Ｍ（Ｍａｃｈｉｎｅ−ｔｏ−Ｍａｃｈｉｎｅ）装置がＳＭＳ（Ｓｈｏｒｔ  ｍｅｓｓａｇｅ  ｓｅｒｖｉｃｅ）を効率的に送信する方法を提供する。
【課題を解決するための手段】
【０００７】
一態様において、無線通信システムにおけるＭ２Ｍ（ｍａｃｈｉｎｅ−ｔｏ−ｍａｃｈｉｎｅ）装置によるデータ送信方法が提供される。前記データ送信方法は、前記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージ（ｒａｎｇｉｎｇ  ｒｅｓｐｏｎｓｅ  ｍｅｓｓａｇｅ）を前記基地局から受信し、前記Ｍ２Ｍ  ＳＭＳ応答は前記Ｍ２Ｍ  ＳＭＳ要求に対応され、前記Ｍ２Ｍ  ＳＭＳ要求が前記基地局により承認（ａｃｃｅｐｔ）されたかどうかを前記Ｍ２Ｍ装置に知らせ、前記Ｍ２Ｍ  ＳＭＳ要求が前記基地局により承認（ａｃｃｅｐｔ）された場合、前記基本ＣＩＤに基づいて前記Ｍ２Ｍ  ＳＭＳを含む第２のレンジング要求メッセージを前記基地局に送信し、及び前記Ｍ２Ｍ  ＳＭＳが前記基地局により成功的に受信されたかどうかを指示するＭ２Ｍ  ＳＭＳ確認（ｃｏｎｆｉｒｍａｔｉｏｎ）を含む第２のレンジング応答メッセージを前記基地局から受信することを含む。
【０００８】
前記臨時ＣＩＤタイマは、前記基本ＣＩＤの寿命期間（ｌｉｆｅ  ｔｉｍｅ  ｄｕｒａｔｉｏｎ）を指示する。
【０００９】
前記臨時ＣＩＤタイマは、前記Ｍ２Ｍ装置が前記第１のレンジング応答メッセージを受信する時に開始される。
【００１０】
前記基本ＣＩＤは、前記第２のレンジング応答メッセージが受信された後に、または前記臨時ＣＩＤタイマが満了（ｅｘｐｉｒｅ）された場合に解除（ｒｅｌｅａｓｅ）される。
【００１１】
前記Ｍ２Ｍ  ＳＭＳ要求は、前記Ｍ２Ｍ  ＳＭＳのバイト（ｂｙｔｅ）の数を指示する。
【００１２】
前記Ｍ２Ｍ  ＳＭＳは、アイドルモードで維持されたサービスフロー（ｓｅｒｖｉｃｅ  ｆｌｏｗ）に基づいて送信される。
【００１３】
前記サービスフローは、前記サービスフローが生成される時に定義されるアイドルモード維持プリファレンスパラメータ（ｉｄｌｅ  ｍｏｄｅ  ｒｅｔａｉｎ  ｐｒｅｆｅｒｅｎｃｅ  ｐａｒａｍｅｔｅｒ）に基づいて維持される。
【００１４】
前記アイドルモード維持プリファレンスパラメータの値は１である。
【００１５】
前記第１のレンジング応答メッセージは、臨時伝送（ｔｒａｎｓｐｏｒｔ）ＣＩＤ及びＣＩＤアップデートＴＬＶ（ｔｙｐｅ−ｌｅｎｇｔｈ−ｖａｌｕｅ）を含み、前記ＣＩＤアップデートＴＬＶは、前記サービスフローと前記臨時伝送ＣＩＤとの間のマッピングに関する情報を指示する。
【００１６】
他の態様において、無線通信システムにおけるＭ２Ｍ（ｍａｃｈｉｎｅ−ｔｏ−ｍａｃｈｉｎｅ）装置によるデータ送信方法が提供される。前記データ送信方法は、放送ページングメッセージ（ｂｒｏａｄｃａｓｔ  ｐａｇｉｎｇ  ｍｅｓｓａｇｅ）を基地局から受信し、前記放送ページングメッセージの行動コード（ａｃｔｉｏｎ  ｃｏｄｅ）は、位置アップデート（ｌｏｃａｔｉｏｎ  ｕｐｄａｔｅ）を指示し、前記Ｍ２Ｍ  ＳＭＳ、基本（ｂａｓｉｃ）ＣＩＤ（ｃｏｎｎｅｃｔｉｏｎ  ｉｄｅｎｔｉｆｉｅｒ）、及び臨時ＣＩＤタイマを含むレンジング応答メッセージ（ｒａｎｇｉｎｇ  ｒｅｓｐｏｎｓｅ  ｍｅｓｓａｇｅ）を前記基地局から受信し、及び前記Ｍ２Ｍ  ＳＭＳが前記Ｍ２Ｍ装置により成功的に受信されたかどうかを指示するＭ２Ｍ  ＳＭＳ確認（ｃｏｎｆｉｒｍａｔｉｏｎ）を含むレンジング要求メッセージを前記基地局に送信することを含む。
【００１７】
前記臨時ＣＩＤタイマは、前記基本ＣＩＤの寿命期間（ｌｉｆｅ  ｔｉｍｅ  ｄｕｒａｔｉｏｎ）を指示する。
【００１８】
他の態様において、無線通信システムにおけるＭ２Ｍ（ｍａｃｈｉｎｅ−ｔｏ−ｍａｃｈｉｎｅ）装置が提供される。前記Ｍ２Ｍ装置は、無線信号を送信または受信するＲＦ（ｒａｄｉｏ  ｆｒｅｑｕｅｎｃｙ）部；及び、前記ＲＦ部と連結されるプロセッサ；を含み、前記プロセッサは、前記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージ（ｒａｎｇｉｎｇ  ｒｅｓｐｏｎｓｅ  ｍｅｓｓａｇｅ）を前記基地局から受信し、前記Ｍ２Ｍ  ＳＭＳ応答は前記Ｍ２Ｍ  ＳＭＳ要求に対応され、前記Ｍ２Ｍ  ＳＭＳ要求が前記基地局により承認（ａｃｃｅｐｔ）されたかどうかを前記Ｍ２Ｍ装置に知らせ、前記Ｍ２Ｍ  ＳＭＳ要求が前記基地局により承認（ａｃｃｅｐｔ）された場合、前記基本ＣＩＤに基づいて前記Ｍ２Ｍ  ＳＭＳを含む第２のレンジング要求メッセージを前記基地局に送信し、及び前記Ｍ２Ｍ  ＳＭＳが前記基地局により成功的に受信されたかどうかを指示するＭ２Ｍ  ＳＭＳ確認（ｃｏｎｆｉｒｍａｔｉｏｎ）を含む第２のレンジング応答メッセージを前記基地局から受信するように構成される。
【００１９】
上記目的を達成するために、本発明は、例えば、以下の手段を提供する。
（項目１）
無線通信システムにおけるＭ２Ｍ（ｍａｃｈｉｎｅ−ｔｏ−ｍａｃｈｉｎｅ）装置によるデータ送信方法において、
上記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、
Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージ（ｒａｎｇｉｎｇ  ｒｅｓｐｏｎｓｅ  ｍｅｓｓａｇｅ）を上記基地局から受信し、上記Ｍ２Ｍ  ＳＭＳ応答は上記Ｍ２Ｍ  ＳＭＳ要求に対応され、上記Ｍ２Ｍ  ＳＭＳ要求が上記基地局により承認（ａｃｃｅｐｔ）されたかどうかを上記Ｍ２Ｍ装置に知らせ、
上記Ｍ２Ｍ  ＳＭＳ要求が上記基地局により承認（ａｃｃｅｐｔ）された場合、上記基本ＣＩＤに基づいて上記Ｍ２Ｍ  ＳＭＳを含む第２のレンジング要求メッセージを上記基地局に送信し、及び、
上記Ｍ２Ｍ  ＳＭＳが上記基地局により成功的に受信されたかどうかを指示するＭ２Ｍ  ＳＭＳ確認（ｃｏｎｆｉｒｍａｔｉｏｎ）を含む第２のレンジング応答メッセージを上記基地局から受信することを含むデータ送信方法。
（項目２）
上記臨時ＣＩＤタイマは、上記基本ＣＩＤの寿命期間（ｌｉｆｅ  ｔｉｍｅ  ｄｕｒａｔｉｏｎ）を指示することを特徴とする上記項目のいずれかに記載のデータ送信方法。
（項目３）
上記臨時ＣＩＤタイマは、上記Ｍ２Ｍ装置が上記第１のレンジング応答メッセージを受信する時に開始されることを特徴とする上記項目のいずれかに記載のデータ送信方法。
（項目４）
上記基本ＣＩＤは、上記第２のレンジング応答メッセージが受信された後に、または上記臨時ＣＩＤタイマが満了（ｅｘｐｉｒｅ）された場合に解除（ｒｅｌｅａｓｅ）されることを特徴とする上記項目のいずれかに記載のデータ送信方法。
（項目５）
上記Ｍ２Ｍ  ＳＭＳ要求は、上記Ｍ２Ｍ  ＳＭＳのバイト（ｂｙｔｅ）の数を指示することを特徴とする上記項目のいずれかに記載のデータ送信方法。
（項目６）
上記Ｍ２Ｍ  ＳＭＳは、アイドルモードで維持されたサービスフロー（ｓｅｒｖｉｃｅ  ｆｌｏｗ）に基づいて送信されることを特徴とする上記項目のいずれかに記載のデータ送信方法。
（項目７）
上記サービスフローは、上記サービスフローが生成される時に定義されるアイドルモード維持プリファレンスパラメータ（ｉｄｌｅ  ｍｏｄｅ  ｒｅｔａｉｎ  ｐｒｅｆｅｒｅｎｃｅ  ｐａｒａｍｅｔｅｒ）に基づいて維持されることを特徴とする上記項目のいずれかに記載のデータ送信方法。
（項目８）
上記アイドルモード維持プリファレンスパラメータの値は、１であることを特徴とする上記項目のいずれかに記載のデータ送信方法。
（項目９）
上記第１のレンジング応答メッセージは、臨時伝送（ｔｒａｎｓｐｏｒｔ）ＣＩＤ及びＣＩＤアップデートＴＬＶ（ｔｙｐｅ−ｌｅｎｇｔｈ−ｖａｌｕｅ）を含み、上記ＣＩＤアップデートＴＬＶは、上記サービスフローと上記臨時伝送ＣＩＤとの間のマッピングに関する情報を指示することを特徴とする上記項目のいずれかに記載のデータ送信方法。
（項目１０）
無線通信システムにおけるＭ２Ｍ（ｍａｃｈｉｎｅ−ｔｏ−ｍａｃｈｉｎｅ）装置によるデータ送信方法において、
放送ページングメッセージ（ｂｒｏａｄｃａｓｔ  ｐａｇｉｎｇ  ｍｅｓｓａｇｅ）を基地局から受信し、上記放送ページングメッセージの行動コード（ａｃｔｉｏｎ  ｃｏｄｅ）は、位置アップデート（ｌｏｃａｔｉｏｎ  ｕｐｄａｔｅ）を指示し、
上記Ｍ２Ｍ  ＳＭＳ、基本（ｂａｓｉｃ）ＣＩＤ（ｃｏｎｎｅｃｔｉｏｎ  ｉｄｅｎｔｉｆｉｅｒ）、及び臨時ＣＩＤタイマを含むレンジング応答メッセージ（ｒａｎｇｉｎｇ  ｒｅｓｐｏｎｓｅ  ｍｅｓｓａｇｅ）を上記基地局から受信し、及び、
上記Ｍ２Ｍ  ＳＭＳが上記Ｍ２Ｍ装置により成功的に受信されたかどうかを指示するＭ２Ｍ  ＳＭＳ確認（ｃｏｎｆｉｒｍａｔｉｏｎ）を含むレンジング要求メッセージを上記基地局に送信することを含むデータ送信方法。
（項目１１）
上記臨時ＣＩＤタイマは、上記基本ＣＩＤの寿命期間（ｌｉｆｅ  ｔｉｍｅ  ｄｕｒａｔｉｏｎ）を指示することを特徴とする上記項目のいずれかに記載のデータ送信方法。
（項目１２）
無線通信システムにおけるＭ２Ｍ（ｍａｃｈｉｎｅ−ｔｏ−ｍａｃｈｉｎｅ）装置において、
無線信号を送信または受信するＲＦ（ｒａｄｉｏ  ｆｒｅｑｕｅｎｃｙ）部；及び、
上記ＲＦ部と連結されるプロセッサ；を含み、
上記プロセッサは、
上記Ｍ２Ｍ装置の送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、
Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）及び、臨時ＣＩＤタイマを含む第１のレンジング応答メッセージ（ｒａｎｇｉｎｇ  ｒｅｓｐｏｎｓｅ  ｍｅｓｓａｇｅ）を上記基地局から受信し、上記Ｍ２Ｍ  ＳＭＳ応答は上記Ｍ２Ｍ  ＳＭＳ要求に対応され、上記Ｍ２Ｍ  ＳＭＳ要求が上記基地局により承認（ａｃｃｅｐｔ）されたかどうかを上記Ｍ２Ｍ装置に知らせ、
上記Ｍ２Ｍ  ＳＭＳ要求が上記基地局により承認（ａｃｃｅｐｔ）された場合、上記基本ＣＩＤに基づいて上記Ｍ２Ｍ  ＳＭＳを含む第２のレンジング要求メッセージを上記基地局に送信し、及び、
上記Ｍ２Ｍ  ＳＭＳが上記基地局により成功的に受信されたかどうかを指示するＭ２Ｍ  ＳＭＳ確認（ｃｏｎｆｉｒｍａｔｉｏｎ）を含む第２のレンジング応答メッセージを上記基地局から受信するように構成されるＭ２Ｍ装置。
（項目１３）
上記臨時ＣＩＤタイマは、上記基本ＣＩＤの寿命期間（ｌｉｆｅ  ｔｉｍｅ  ｄｕｒａｔｉｏｎ）を指示することを特徴とする上記項目のいずれかに記載のＭ２Ｍ装置。
（項目１４）
上記臨時ＣＩＤタイマは、上記Ｍ２Ｍ装置が上記第１のレンジング応答メッセージを受信する時に開始されることを特徴とする上記項目のいずれかに記載のＭ２Ｍ装置。
（項目１５）
上記基本ＣＩＤは、上記第２のレンジング応答メッセージが受信された後に、または上記臨時ＣＩＤタイマが満了（ｅｘｐｉｒｅ）された場合に解除（ｒｅｌｅａｓｅ）されることを特徴とする上記項目のいずれかに記載のＭ２Ｍ装置。
【００２０】
（摘要）
無線通信システムにおけるＭ２Ｍ（ｍａｃｈｉｎｅ−ｔｏ−ｍａｃｈｉｎｅ）装置によるデータ送信方法を提供する。前記Ｍ２Ｍ装置は、送信するＭ２Ｍ  ＳＭＳ（ｓｈｏｒｔ  ｍｅｓｓａｇｅ  ｓｅｒｖｉｃｅ）があることを指示するＭ２Ｍ  ＳＭＳ要求を含む第１のレンジング要求メッセージ（ｒａｎｇｉｎｇ  ｒｅｑｕｅｓｔ  ｍｅｓｓａｇｅ）を基地局に送信し、Ｍ２Ｍ  ＳＭＳ応答、基本（ｂａｓｉｃ）ＣＩＤ（ｃｏｎｎｅｃｔｉｏｎ  ｉｄｅｎｔｉｆｉｅｒ）、及び臨時ＣＩＤタイマを含む第１のレンジング応答メッセージ（ｒａｎｇｉｎｇ  ｒｅｓｐｏｎｓｅ  ｍｅｓｓａｇｅ）を前記基地局から受信する。前記Ｍ２Ｍ  ＳＭＳ要求が前記基地局により承認（ａｃｃｅｐｔ）された場合、前記Ｍ２Ｍ装置は、前記基本ＣＩＤに基づいて前記Ｍ２Ｍ  ＳＭＳを含む第２のレンジング要求メッセージを前記基地局に送信し、Ｍ２Ｍ  ＳＭＳ確認（ｃｏｎｆｉｒｍａｔｉｏｎ）を含む第２のレンジング応答メッセージを前記基地局から受信する。
【発明の効果】
【００２１】
シグナリングオーバーヘッド（ｓｉｇｎａｌｉｎｇ  ｏｖｅｒｈｅａｄ）を最小化しつつＭ２Ｍ装置がＳＭＳを安全に送信することができる。
【図面の簡単な説明】
【００２２】
【図１】無線通信システムを示す。
【図２】Ｍ２Ｍ（Ｍａｃｈｉｎｅ−ｔｏ−Ｍａｃｈｉｎｅ）通信をサポートするＩＥＥＥ８０２．１６のシステム構造（ｓｙｓｔｅｍ  ａｒｃｈｉｔｅｃｔｕｒｅ）の一例を示す。
【図３】Ｍ２Ｍ（Ｍａｃｈｉｎｅ−ｔｏ−Ｍａｃｈｉｎｅ）通信をサポートするＩＥＥＥ８０２．１６のシステム構造（ｓｙｓｔｅｍ  ａｒｃｈｉｔｅｃｔｕｒｅ）の一例を示す。
【図４】ＩＥＥＥ８０２．１６ｅのフレーム構造の一例を示す。
【図５】ＩＥＥＥ８０２．１６ｍのフレーム構造の一例を示す。
【図６】動的（ｄｙｎａｍｉｃ）サービスフローが生成、変更、または削除されることを示す。
【図７】提案されたデータ送信方法の一実施例を示す。
【図８】提案されたデータ送信方法の他の実施例を示す。
【図９】提案されたデータ送信方法の他の実施例を示す。
【図１０】提案されたデータ送信方法の他の実施例を示す。
【図１１】提案されたデータ送信方法の他の実施例を示す。
【図１２】提案されたデータ送信方法の他の実施例を示す。
【図１３】本発明の実施例が具現される無線通信システムのブロック図である。
【発明を実施するための形態】
【００２３】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ＥｖｏｌｖｅｄＵＴＲＡ）などのような無線技術で具現されることができる。ＩＥＥＥ８０２．１６ｍはＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅ  ｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進化である。
【００２４】
説明を明確にするために、ＩＥＥＥ８０２．１６ｍを中心に記述するが、本発明の技術的思想がこれに制限されるものではない。
【００２５】
図１は、無線通信システムを示す。
【００２６】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２７】
端末は、一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２８】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２９】
図２及び図３は、Ｍ２Ｍ（Ｍａｃｈｉｎｅ−ｔｏ−Ｍａｃｈｉｎｅ）通信をサポートするＩＥＥＥ８０２．１６のシステム構造（ｓｙｓｔｅｍ  ａｒｃｈｉｔｅｃｔｕｒｅ）の一例を示す。
【００３０】
図２は、基本Ｍ２Ｍサービスシステム構造を示す。基本Ｍ２Ｍサービスシステム構造２０は、移動ネットワークオペレータ（ＭＮＯ；Ｍｏｂｉｌｅ  Ｎｅｔｗｏｒｋ  Ｏｐｅｒａｔｏｒ）２１、Ｍ２Ｍサービス消費者（ｓｅｒｖｉｃｅ  ｃｏｎｓｕｍｅｒ）２４、少なくとも一つのＩＥＥＥ８０２．１６  Ｍ２Ｍ装置（以下、８０２．１６  Ｍ２Ｍ装置という）２８、少なくとも一つの非ＩＥＥＥ８０２．１６  Ｍ２Ｍ装置２９を含む。ＭＮＯ２１は、接続サービスネットワーク（ＡＳＮ；Ａｃｃｅｓｓ  Ｓｅｒｖｉｃｅ  Ｎｅｔｗｏｒｋ）と連結サービスネットワーク（ＣＳＮ；Ｃｏｎｎｅｃｔｉｖｉｔｙ  Ｓｅｒｖｉｃｅ  Ｎｅｔｗｏｒｋ）を含む。８０２．１６  Ｍ２Ｍ装置２８は、Ｍ２Ｍ機能（ｆｕｎｃｔｉｏｎａｌｉｔｙ）を有するＩＥＥＥ８０２．１６端末である。Ｍ２Ｍサーバ２３は、一つ以上の８０２．１６  Ｍ２Ｍ装置２８と通信するエンティティ（ｅｎｔｉｔｙ）である。Ｍ２Ｍサーバ２３は、Ｍ２Ｍサービス消費者２４が接続することができるインターフェース（ｉｎｔｅｒｆａｃｅ）を有する。Ｍ２Ｍサービス消費者２４は、Ｍ２Ｍサービスのユーザである。Ｍ２Ｍサーバ２３は、連結サービスネットワーク（ＣＳＮ；Ｃｏｎｎｅｃｔｉｖｉｔｙ  Ｓｅｒｖｉｃｅ  Ｎｅｔｗｏｒｋ）の内部または外部にあり、一つ以上の８０２．１６  Ｍ２Ｍ装置２８に特定Ｍ２Ｍサービスを提供することができる。ＡＳＮは、ＩＥＥＥ８０２．１６基地局２２を含むことができる。Ｍ２Ｍアプリケーション（ａｐｐｌｉｃａｔｉｏｎ）は、８０２．１６  Ｍ２Ｍ装置２８及びＭ２Ｍサーバ２３に基づいて運営される。
【００３１】
基本Ｍ２Ｍサービスシステム構造２０は、一つ以上の８０２．１６  Ｍ２Ｍ装置とＭ２Ｍサーバとの間のＭ２Ｍ通信、または８０２．１６  Ｍ２Ｍ装置とＩＥＥＥ８０２．１６基地局との間の一対多（ｐｏｉｎｔ−ｔｏ−ｍｕｌｔｉｐｏｉｎｔ）通信の二つの種類のＭ２Ｍ通信をサポートする。図２の基本Ｍ２Ｍサービスシステム構造は、８０２．１６  Ｍ２Ｍ装置が非ＩＥＥＥ８０２．１６  Ｍ２Ｍ装置のための集合点（ａｇｇｒｅｇａｔｉｏｎ  ｐｏｉｎｔ）として動作することを許容する。非ＩＥＥＥ８０２．１６  Ｍ２Ｍ装置は、ＩＥＥＥ８０２．１１、ＩＥＥＥ８０２．１５またはＰＬＣなどのＩＥＥＥ８０２．１６と異なる無線インターフェースを使用する。この時、非ＩＥＥＥ８０２．１６  Ｍ２Ｍ装置のＩＥＥＥ８０２．１６への無線インターフェースの変更は許容されない。
【００３２】
図３は、向上された（ａｄｖａｎｃｅｄ）Ｍ２Ｍサービスシステム構造を示す。向上されたＭ２Ｍサービスシステム構造でも同様に８０２．１６  Ｍ２Ｍ装置が非ＩＥＥＥ８０２．１６  Ｍ２Ｍ装置のための集合点として動作することができ、また、８０２．１６  Ｍ２Ｍ装置のための集合点として動作することもできる。この時、８０２．１６  Ｍ２Ｍ装置及び非８０２．１６  Ｍ２Ｍ装置のための集合機能を遂行するために、無線インターフェースがＩＥＥＥ８０２．１６に変更されることができる。また、向上されたＭ２Ｍサービスシステム構造で８０２．１６  Ｍ２Ｍ装置間のＰ２Ｐ（Ｐｅｅｒ−ｔｏ−Ｐｅｅｒ）連結がサポートされることができ、この時、Ｐ２Ｐ連結は、ＩＥＥＥ８０２．１６上にまたはＩＥＥＥ８０２．１１、ＩＥＥＥ８０２．１５またはＰＬＣなどの異なる無線インターフェース上に連結されることができる。
【００３３】
以下、ＩＥＥＥ８０２．１６ｅ及びＩＥＥＥ８０２．１６ｍのフレーム構造を説明する。
【００３４】
図４は、ＩＥＥＥ８０２．１６ｅのフレーム構造の一例を示す。
【００３５】
図４は、ＩＥＥＥ８０２．１６ｅでのＴＤＤ（Ｔｉｍｅ  Ｄｉｖｉｓｉｏｎ  Ｄｕｐｌｅｘ）フレーム構造を示す。ＴＤＤフレームは、ＤＬ送信周期（ｔｒａｎｓｍｉｓｓｉｏｎ  ｐｅｒｉｏｄ）及びＵＬ送信周期を含む。ダウンリンク送信周期はアップリンク送信周期より時間的に以前である。ＤＬ送信周期は、プリアンブル（ｐｒｅａｍｂｌｅ）、ＦＣＨ（Ｆｒａｍｅ  Ｃｏｎｔｒｏｌ  Ｈｅａｄｅｒ）、ＤＬ−ＭＡＰ、ＵＬ−ＭＡＰ、ＤＬバースト（ｂｕｒｓｔ）領域を含む。ＵＬ送信周期は、レンジングサブチャネル（ｓｕｂｃｈａｎｎｅｌ）、ＵＬバースト領域を含む。ＤＬ送信周期とＵＬ送信周期を区分するための保護時間（ｇｕａｒｄ  ｔｉｍｅ）がフレームの中間部分（ＤＬ送信周期とＵＬ送信周期との間）と最後の部分（ＵＬ送信周期の以後）に挿入される。ＴＴＧ（Ｔｒａｎｓｍｉｔ／Ｒｅｃｅｉｖｅ  Ｔｒａｎｓｉｔｉｏｎ  Ｇａｐ）は、ＤＬバーストとその後の（ｓｕｂｓｅｑｕｅｎｔ）ＵＬバーストとの間のギャップである。ＲＴＧ（Ｒｅｃｅｉｖｅ／Ｔｒａｎｓｍｉｔ  Ｔｒａｎｓｉｔｉｏｎ  Ｇａｐ）は、ＵＬバーストとその後のＤＬバーストとの間のギャップである。
【００３６】
プリアンブルは、基地局と端末との間の初期同期、セル探索、周波数オフセット及びチャネル推定に使われる。ＦＣＨは、ＤＬ−ＭＡＰメッセージの長さとＤＬ−ＭＡＰのコーディング方式（ｃｏｄｉｎｇ  ｓｃｈｅｍｅ）情報を含む。ＤＬ−ＭＡＰは、ＤＬ−ＭＡＰメッセージが送信される領域である。ＤＬ−ＭＡＰメッセージは、ＤＬチャネルへの接続を定義する。これはＤＬ−ＭＡＰメッセージがＤＬチャネルに対する指示及び／または制御情報を定義することを意味する。ＤＬ−ＭＡＰメッセージは、ＤＣＤ（Ｄｏｗｎｌｉｎｋ  Ｃｈａｎｎｅｌ  Ｄｅｓｃｒｉｐｔｏｒ）の構成変化カウント及び基地局ＩＤ（ｉｄｅｎｔｉｆｉｅｒ）を含む。ＤＣＤは、現在マップに適用されるＤＬバーストプロファイル（ｄｏｗｎｌｉｎｋ  ｂｕｒｓｔ  ｐｒｏｆｉｌｅ）を記述する。ＤＬバーストプロファイルは、ＤＬ物理チャネルの特性をいい、ＤＣＤはＤＣＤメッセージを介して周期的に基地局により送信される。ＵＬ−ＭＡＰはＵＬ−ＭＡＰメッセージが送信される領域である。ＵＬ−ＭＡＰメッセージは、ＵＬチャネルへの接続を定義する。これはＵＬ−ＭＡＰメッセージがＵＬチャネルに対する指示及び／または制御情報を定義することを意味する。ＵＬ−ＭＡＰメッセージは、ＵＣＤ（Ｕｐｌｉｎｋ  Ｃｈａｎｎｅｌ  Ｄｅｓｃｒｉｐｔｏｒ）の構成変化カウント、ＵＬ−ＭＡＰにより定義されるＵＬ割当の有効開始時刻（ａｌｌｏｃａｔｉｏｎ  ｓｔａｒｔ  ｔｉｍｅ）を含む。ＵＣＤは、ＵＬバーストプロファイル（ｕｐｌｉｎｋ  ｂｕｒｓｔ  ｐｒｏｆｉｌｅ）を記述する。ＵＬバーストプロファイルは、ＵＬ物理チャネルの特性をいい、ＵＣＤは、ＵＣＤメッセージを介して周期的に基地局により送信される。ＤＬバーストは、基地局が端末に送るデータが送信される領域であり、ＵＬバーストは、端末が基地局に送るデータが送信される領域である。ファーストフィードバック領域は、フレームのＵＬバースト領域に含まれる。ファーストフィードバック領域は、基地局から速い応答（ｆａｓｔ  ｒｅｓｐｏｎｓｅ）が要求される情報の送信のために使われる。ファーストフィードバック領域は、ＣＱＩ送信のために使われることができる。ファーストフィードバック領域の位置は、ＵＬ−ＭＡＰにより決定される。ファーストフィードバック領域の位置は、フレーム内で固定された位置であってもよく、変動される位置であってもよい。
【００３７】
図５は、ＩＥＥＥ８０２．１６ｍのフレーム構造の一例を示す。
【００３８】
図５を参照すると、スーパーフレーム（ＳＦ；Ｓｕｐｅｒｆｒａｍｅ）は、スーパーフレームヘッダ（ＳＦＨ；Ｓｕｐｅｒｆｒａｍｅ  Ｈｅａｄｅｒ）と４個のフレーム（ｆｒａｍｅ）Ｆ０、Ｆ１、Ｆ２、Ｆ３を含む。スーパーフレーム内の各フレームの長さは全部同一である。各スーパーフレームの大きさは２０ｍｓであり、各フレームの大きさは５ｍｓであると例示しているが、これに限定されるものではない。スーパーフレームの長さ、スーパーフレームに含まれるフレームの数、フレームに含まれるサブフレームの数等は多様に変更されることができる。フレームに含まれるサブフレームの数は、チャネル帯域幅（ｃｈａｎｎｅｌ  ｂａｎｄｗｉｄｔｈ）、ＣＰ（Ｃｙｃｌｉｃ  Ｐｒｅｆｉｘ）の長さによって多様に変更されることができる。
【００３９】
一つのフレームは、複数のサブフレーム（ｓｕｂｆｒａｍｅ）ＳＦ０、ＳＦ１、ＳＦ２、ＳＦ３、ＳＦ４、ＳＦ５、ＳＦ６、ＳＦ７を含む。各サブフレームは、アップリンクまたはダウンリンク送信のために使われることができる。一つのサブフレームは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を含み、周波数領域（ｆｒｅｑｕｅｎｃｙ  ｄｏｍａｉｎ）で複数の副搬送波（ｓｕｂｃａｒｒｉｅｒ）を含む。ＯＦＤＭシンボルは、一つのシンボル区間（ｓｙｍｂｏｌ  ｐｅｒｉｏｄ）を表現するためのものであり、多重接続方式によってＯＦＤＭＡシンボル、ＳＣ−ＦＤＭＡシンボルなど、他の名称で呼ばれることができる。サブフレームは、５、６、７または９個のＯＦＤＭＡシンボルで構成されることができるが、これは例示に過ぎず、サブフレームに含まれるＯＦＤＭＡシンボルの数は制限されない。サブフレームに含まれるＯＦＤＭＡシンボルの数は、チャネル帯域幅、ＣＰの長さによって多様に変更されることができる。サブフレームが含むＯＦＤＭＡシンボルの数によってサブフレームのタイプ（ｔｙｐｅ）が定義されることができる。例えば、タイプ−１サブフレームは６ＯＦＤＭＡシンボル、タイプ−２サブフレームは７ＯＦＤＭＡシンボル、タイプ−３サブフレームは５ＯＦＤＭＡシンボル、タイプ−４サブフレームは９ＯＦＤＭＡシンボルを含むと定義されることができる。一つのフレームは全部同じタイプのサブフレームを含むこともでき、または、一つのフレームは互いに異なるタイプのサブフレームを含むこともできる。即ち、一つのフレーム内の各サブフレーム毎に含むＯＦＤＭＡシンボルの個数は、全部同じ、或いは各々異なる。または、一つのフレーム内の少なくとも一つのサブフレームのＯＦＤＭＡシンボルの個数は、前記フレーム内の残りのサブフレームのＯＦＤＭＡシンボルの個数と異なる。
【００４０】
フレームにはＴＤＤ方式またはＦＤＤ（Ｆｒｅｑｕｅｎｃｙ  Ｄｉｖｉｓｉｏｎ  Ｄｕｐｌｅｘ）方式が適用されることができる。ＴＤＤ方式で各サブフレームが同じ周波数で互いに異なる時間にアップリンク送信またはダウンリンク送信のために使われる。即ち、ＴＤＤ方式のフレーム内のサブフレームは、時間領域でアップリンクサブフレームとダウンリンクサブフレームに区分される。ＦＤＤ方式で各サブフレームが同じ時間の互いに異なる周波数でアップリンク送信またはダウンリンク送信のために使われる。即ち、ＦＤＤ方式のフレーム内のサブフレームは、周波数領域でアップリンクサブフレームとダウンリンクサブフレームに区分される。アップリンク送信とダウンリンク送信は、互いに異なる周波数帯域を占め、同時に行われることができる。
【００４１】
ＳＦＨは、必須システムパラメータ（ｅｓｓｅｎｔｉａｌ  ｓｙｓｔｅｍ  ｐａｒａｍｅｔｅｒ）及びシステム設定情報（ｓｙｓｔｅｍｃｏｎ  ｆｉｇｕｒａｔｉｏｎ  ｉｎｆｏｒｍａｔｉｏｎ）を運ぶことができる。ＳＦＨは、スーパーフレーム内の１番目のサブフレーム内に位置することができる。ＳＦＨは、前記１番目のサブフレームの最後の５個のＯＦＤＭＡシンボルを占めることができる。スーパーフレームヘッダは、１次ＳＦＨ（Ｐ−ＳＦＨ；ｐｒｉｍａｒｙ−ＳＦＨ）及び２次ＳＦＨ（Ｓ−ＳＦＨ；ｓｅｃｏｎｄａｒｙ−ＳＦＨ）に分類されることができる。Ｐ−ＳＦＨは、スーパーフレーム毎に送信されることができる。Ｓ−ＳＦＨに送信される情報は、Ｓ−ＳＦＨ  ＳＰ１、Ｓ−ＳＦＨ  ＳＰ２、Ｓ−ＳＦＨ  ＳＰ３の３個のサブパケット（ｓｕｂ−ｐａｃｋｅｔ）に分けられる。各サブパケットは、互いに異なる周期を有して周期的に送信されることができる。Ｓ−ＳＦＨ  ＳＰ１、Ｓ−ＳＦＨ  ＳＰ２及びＳ−ＳＦＨ  ＳＰ３を介して送信される情報の重要度は互いに異なり、Ｓ−ＳＦＨ  ＳＰ１が最も短い周期に、Ｓ−ＳＦＨ  ＳＰ３が最も長い周期に送信されることができる。Ｓ−ＳＦＨ  ＳＰ１は、ネットワーク再進入（ｎｅｔｗｏｒｋｒｅ−ｅｎｔｒｙ）に関する情報を含み、Ｓ−ＳＦＨ  ＳＰ１の送信周期は４０ｍｓである。Ｓ−ＳＦＨ  ＳＰ２は、初期ネットワーク進入（ｉｎｉｔｉａｌ  ｎｅｔｗｏｒｋ  ｅｎｔｒｙ）及びネットワーク探索（ｎｅｔｗｏｒｋ  ｄｉｓｃｏｖｅｒｙ）に関する情報を含み、Ｓ−ＳＦＨ  ＳＰ２の送信周期は８０ｍｓである。Ｓ−ＳＦＨ  ＳＰ３は残りの重要なシステム情報を含み、Ｓ−ＳＦＨ  ＳＰ３の送信周期は１６０ｍｓまたは３２０ｍｓのうちいずれか一つである。
【００４２】
一つのＯＦＤＭＡシンボルは、複数の副搬送波を含み、ＦＦＴ大きさによって副搬送波の個数が決定される。多様な類型の副搬送波がある。副搬送波の類型は、データ送信のためのデータ副搬送波、多様な測定（ｅｓｔｉｍａｔｉｏｎ）のためのパイロット副搬送波、ガードバンド（ｇｕａｒｄ  ｂａｎｄ）、及びＤＣキャリアのためのナルキャリアに分けられる。ＯＦＤＭＡシンボルを特徴づけるパラメータは、ＢＷ、Ｎｕｓｅｄ、ｎ、Ｇなどである。ＢＷは名目上のチャネル帯域幅（ｎｏｍｉｎａｌ  ｃｈａｎｎｅｌ  ｂａｎｄｗｉｄｔｈ）である。Ｎｕｓｅｄは（ＤＣ副搬送波を含む）使われる副搬送波の個数である。ｎはサンプリング因子である。このパラメータは、ＢＷ及びＮｕｓｅｄと結合して副搬送波スペーシング（ｓｐａｃｉｎｇ）及び有効シンボル時間（ｕｓｅｆｕｌ  ｓｙｍｂｏｌ  ｔｉｍｅ）を決定する。ＧはＣＰ時間と有効時間（ｕｓｅｆｕｌｔ  ｉｍｅ）の比率である。
【００４３】
以下の表１は、ＯＦＤＭＡパラメータを示す。表１のＯＦＤＭＡパラメータは、図４の８０２．１６ｅのフレーム構造にも同一に使われることができる。
【００４４】
【表１】
2013005430.tif 000003
表１で、ＮＦＦＴはＮｕｓｅｄより大きい数の中から最も小さい２ｎのうち最も小さいパワー（Ｓｍａｌｌｅｓｔ  ｐｏｗｅｒ  ｏｆ  ｔｗｏ  ｇｒｅａｔｅｒ  ｔｈａｎ  Ｎｕｓｅｄ）であり、サンプリング因子Ｆｓ＝ｆｌｏｏｒ（ｎ・ＢＷ／８０００）×８０００であり、副搬送波スペーシングΔｆ＝Ｆｓ／ＮＦＦＴであり、有効シンボル時間Ｔｂ＝１／Δｆであり、ＣＰ時間Ｔｇ＝Ｇ・Ｔｂであり、ＯＦＤＭＡシンボル時間Ｔｓ＝Ｔｂ＋Ｔｇであり、サンプリング時間はＴｂ／ＮＦＦＴである。
【００４５】
以下、サービスフロー（ＳＦ；ｓｅｒｖｉｃｅ  ｆｌｏｗ）を説明する。
【００４６】
サービスフローは、ＱｏＳ（ｑｕａｌｉｔｙ  ｏｆ  ｓｅｒｖｉｃｅ）をサポートするための概念である。サービスフローは、端末により送信されるＵＬパケットまたは基地局により送信されるＤＬパケットに単方向（ｕｎｉｄｉｒｅｃｔｉｏｎａｌ）パケット送信を提供するためのＭＡＣ（ｍｅｄｉａ  ａｃｃｅｓｓ  ｃｏｎｔｒｏｌ）送信サービスを示す。サービスフローは、遅延（ｌａｔｅｎｃｙ）、ジッタ（ｊｉｔｔｅｒ）、処理量確定（ｔｈｒｏｕｇｈｐｕｔ  ａｓｓｕｒａｎｃｅ）などのＱｏＳパラメータの集合により定義されることができる。また、サービスフローは、サービスフローＩＤ（ＳＦＩＤ）、連結ＩＤ（ＣＩＤ；ｃｏｎｎｅｃｔｉｏｎ  ＩＤ）、ＱｏＳパラメータ、及び認証モジュール（ａｕｔｈｏｒｉｚａｔｉｏｎ  ｍｏｄｕｌｅ）などの属性（ａｔｔｒｉｂｕｔｅｄ）により定義されることができる。ＳＦＩＤは、存在している各サービスフローに割り当てられ、ＳＦＩＤは、端末のサービスフローのための主要識別子（ｐｒｉｎｃｉｐａｌ  ｉｄｅｎｔｉｆｉｅｒ）として機能する。サービスフローは、少なくとも一つのＳＦＩＤと関連された方向を有することができる。ＣＩＤは、サービスフローが許容（ａｄｍｉｔ）されたり活性化（ａｃｔｉｖｅ）された場合にのみ存在する伝送連結（ｔｒａｎｓｐｏｒｔ  ｃｏｎｎｅｃｔｉｏｎ）の連結識別子である。ＳＦＩＤとＣＩＤの関係は唯一（ｕｎｉｑｕｅ）する。ＳＦＩＤは、一つ以上のＣＩＤと関連されることができず、ＣＩＤも一つ以上のＳＦＩＤと関連されることができない。
【００４７】
サービスフローは、生成されたり、変更されたり、または削除されることができる。ＤＳＡメッセージは、新たなサービスフローを生成する。ＤＳＣメッセージは、存在するサービスフローを変更する。ＤＳＤメッセージは、存在するサービスフローを削除する。ＤＳＡメッセージ、ＤＳＣメッセージ、及びＤＳＤメッセージをグループ化してＤＳｘメッセージで表現することができる。
【００４８】
図６は、動的（ｄｙｎａｍｉｃ）サービスフローが生成、変更、または削除されることを示す。図６を参照すると、ナル（ｎｕｌｌ）状態は、メッセージ内にマッチングされるＳＦＩＤ及び／または交換（ｔｒａｎｓａｃｔｉｏｎ）ＩＤが存在しないことを意味する。サービスフローが一度存在するようになると、サービスフローは動作（ｏｐｅｒａｔｉｏｎａｌ）状態にあるようになり、該当サービスフローは割り当てられたＳＦＩＤを有する。ＤＳＡメッセージによりナル状態から動作状態に転換されることができる。即ち、サービスフローが生成されることができる。静的動作状態（ｓｔｅａｄｙ−ｓｔａｔｅ  ｏｐｅｒａｔｉｏｎ）で、サービスフローは、名目状態（ｎｏｍｉｎａｌ  ｓｔａｔｅ）にとどまるようになる。ＤＳＣメッセージにより動作状態を維持しつつ異なるサービスフローに変更されることができる。ＤＳＤメッセージにより動作状態からナル状態に転換されることができる。即ち、サービスフローが削除されることができる。
【００４９】
表２は、サービスフローエンコーディングの一例を示す。サービスフローエンコーディングによりサービスフローのためのＵＬ／ＤＬスケジューリングに関連されたパラメータが定義されることができる。各々パラメータは、複数の要約された（ｅｎｃａｐｓｕｌａｔｅｄ）ＴＬＶ（ｔｙｐｅ−ｌｅｎｇｔｈ−ｖａｌｕｅ）フィールドで構成される。
【００５０】
【表２】
2013005430.tif 000004
表２でタイプ１のＳＦＩＤパラメータは、端末内でサービスフローの主要基準に基地局により使われることができる。ＳＦＩＤパラメータの長さは４ビットである。タイプ３２のページングプリファレンス（ｐａｇｉｎｇ  ｐｒｅｆｅｒｅｎｃｅ）パラメータは、サービスフローがページングを生成すかどうかを指示することができる。ページングプリファレンスパラメータの長さは１ビットである。ページングプリファレンスパラメータの値が０の場合、ページングが生成されず、ページングプリファレンスパラメータの値が１の場合、ページングが生成されることができる。
【００５１】
ＩＥＥＥ８０２．１６ｍシステムでショートメッセージメッセージサービス（ＳＭＳ；ｓｈｏｒｔ  ｍｅｓｓａｇｅ  ｓｅｒｖｉｃｅ）がサポートされることができる。ＳＭＳは最大１４０ビットを運ぶことができる。ＳＭＳはＩＥＥＥ８０２．１６ｐシステムでもサポートされることができる。特に、Ｍ２Ｍ装置の特性上、ＩＥＥＥ８０２．１６ｐシステムでのＳＭＳ送信は効率的に実行される必要がある。一方、Ｍ２Ｍ装置は、大部分の時間をアイドルモード（ｉｄｌｅ）にあると予想されるため、Ｍ２Ｍ装置がアイドルモードでＳＭＳを効率的に送信するための方法が要求される。
【００５２】
以下、提案されたデータ送信方法を説明する。本発明は、アイドルモード中、特定サービスフローを維持しつつＳＭＳを効率的に送信する方法を提案する。本発明によりアイドルモード状態のＭ２Ｍ装置がネットワーク進入のための全てのシグナリングを実行することなく、ＳＭＳの送信のために必要なサービスフローを維持することができる。即ち、本発明によりアイドルモードにあるＭ２Ｍ装置は、ＳＭＳを送信するために新たなサービスフローを生成する必要がない。
【００５３】
本発明により表３のようにサービスフローのための新たなパラメータが定義されることができる。
【００５４】
【表３】
2013005430.tif 000005
表３を参照すると、タイプ１１４のアイドルモード維持プリファレンス（ｒｅｔａｉｎ  ｐｒｅｆｅｒｅｎｃｅ）パラメータがアイドルモードでサービスフローの維持可否を指示するパラメータとして新たに定義される。従来技術によりアイドルモードに進入する時、全てのサービスフローを維持することができるが、Ｍ２Ｍ通信の場合には全てのサービスフローを維持する必要がない。従って、本発明により定義される表３のアイドルモード維持プリファレンスパラメータによって、サービスフロー生成の場合、該当サービスフローがアイドルモードに進入する時に維持されかどうかを指示することができる。
【００５５】
アイドルモード維持プリファレンスパラメータは、表４のように定義されることができる。
【００５６】
【表４】
2013005430.tif 000006
表４を参照すると、アイドルモード維持プリファレンスパラメータの値が０の場合、該当サービスフローはアイドルモード進入時に維持されない。アイドルモード維持プリファレンスパラメータの値が１の場合、該当サービスフローはアイドルモード進入時に維持される。表４のアイドルモード維持プリファレンスパラメータによりＭ２Ｍ装置がアイドルモードでＳＭＳを送信する時、サービスフローがそのまま維持されることができる。または、アイドルモード維持プリファレンスパラメータの値が１であるサービスフローが生成されてＭ２ＭのＳＭＳ送信のためにのみ使われることができ、アイドルモード進入時にもサービスフローが維持されることができる。
【００５７】
アイドルモード維持プリファレンスパラメータが新たに正義されることによってアイドルモード維持情報（ｉｄｌｅ  ｍｏｄｅ  ｒｅｔａｉｎ  ｉｎｆｏｒｍａｔｉｏｎ）が指示するものも変化することができる。アイドルモード維持情報は８ビットで構成されることができ、各ビットの値が０か或いは１かによって関連された再進入管理（ｒｅｅｎｔｒｙ  ｍａｎａｇｅｍｅｎｔ）メッセージが維持及び管理されかどうかが指示することができる。即ち、各ビットの値が０の場合、関連された再進入管理メッセージが維持及び管理されないことを指示することができ、各ビットの値が１の場合、関連された再進入管理メッセージが維持及び管理されることを指示することができる。アイドルモード維持プリファレンスパラメータが定義される場合、アイドルモード維持情報の各ビットが示すことは、次の通りである。
【００５８】
１）Ｂｉｔ１：プライバシーキー管理要求／応答メッセージ（ＰＫＭ−ＲＥＱ／ＲＳＰ）と関連された端末サービス（ＭＳ  ｓｅｒｖｉｃｅ）と動作情報（ｏｐｅｒａｔｉｏｎａｌ  ｉｎｆｏｒｍａｔｉｏｎ）の維持可否を指示する。Ｍ２Ｍ装置は、Ｂｉｔ１の値を１に設定し、アイドルモードに進入してもＴＥＫの維持を基地局に要求することができる。
【００５９】
２）Ｂｉｔ２：登録要求／応答メッセージ（ＲＥＧ−ＲＥＱ／ＲＳＰ）と関連された端末サービスと動作情報の維持可否を指示する。
【００６０】
３）Ｂｉｔ６：端末状態情報（ｓｔａｔｅ  ｉｎｆｏｒｍａｔｉｏｎ）の維持可否を指示する。この時、加入者基本能力（ＳＢＣ；ＳＳ  ｂａｓｉｃ  ｃａｐａｂｉｌｉｔｙ）関連情報、プライバシーキー管理（ＰＫＭ；ｐｒｉｖａｃｙ  ｋｅｙ  ｍａｎａｇｅｍｅｎｔ）関連情報、及び登録（ＲＥＧ；ｒｅｇｉｓｔｒａｔｉｏｎ）関連情報は含まれない。Ｂｉｔ６の値によって全てのＳＦＩＤが維持されることができる。
【００６１】
４）Ｂｉｔ７：Ｂｉｔ７は、Ｂｉｔ２とＢｉｔ６の値が１の場合にのみ有効である。Ｂｉｔ７の値が１の場合、ページングが生成されるサービスフローの端末状態情報のみ維持されたり、新たに定義されたアイドルモード維持プリファレンスパラメータにより維持されるサービスフローの端末状態情報のみ維持されることができる。Ｂｉｔ７の値が０の場合、全てのサービスフローの端末状態情報が維持されることができる。
【００６２】
Ｍ２Ｍ装置は、ＤＬ  ＳＭＳ送信のためのサービスフローを生成する時、ページングプリファレンスパラメータの値を１に設定してページングプリファレンスを活性化するサービスフローを生成したり、アイドルモード維持プリファレンスパラメータの値を１に設定してアイドルモード進入時に端末の状態情報が維持されたサービスフローを生成することができる。または、Ｍ２Ｍ装置は、ＵＬ  ＳＭＳ送信のためのサービスフローを生成する時、アイドルモード維持プリファレンスパラメータの値を１に設定してアイドルモード進入時に端末の状態情報が維持されるサービスフローを生成することができる。これによって、Ｍ２Ｍ装置は、アイドルモードで新たなサービスフローを生成することなくＳＭＳを送信することができる。
【００６３】
図７は、提案されたデータ送信方法の一実施例を示す。
【００６４】
段階Ｓ１００でＵＬ  ＳＭＳの送信のためのサービスフローが生成され、段階Ｓ１１０でＭ２Ｍ装置はアイドルモードに進入する。
【００６５】
サービスフローの生成はＭ２Ｍ装置により始まることができる。この時、動的サービスフロー生成要求メッセージ（ＤＳＡ−ＲＥＱ）はＭ２Ｍ装置から基地局に送信される。動的サービスフロー生成応答メッセージ（ＤＳＡ−ＲＳＰ）は基地局からＭ２Ｍ装置に送信される。または、サービスフローの生成は基地局により始まることができる。この時、ＤＳＡ−ＲＥＱは基地局からＭ２Ｍ装置に送信される。ＤＳＡ−ＲＳＰはＭ２Ｍ装置から基地局に送信される。
【００６６】
サービスフローが生成される時、アイドルモード維持プリファレンスパラメータが定義され、アイドルモード維持プリファレンスパラメータの値が１に設定されることができる。これによって、ＵＬ  ＳＭＳの送信のために生成されたサービスフローはアイドルモードでも維持されることができ、Ｍ２Ｍ装置はアイドルモードで新たなサービスフローを生成せずにＳＭＳを送信することができる。また、アイドルモード維持情報でＢｉｔ１、２、６及び７の値が１に設定されることができる。これによって、ＰＫＭと関連された端末サービスと動作情報、登録と関連された端末サービスと動作情報、及び以外の端末状態情報が維持されることができる。
【００６７】
段階Ｓ１２０でＭ２Ｍ装置は基地局にレンジング要求メッセージ（ＲＮＧ−ＲＥＱ）を送信し、送信するＵＬ  ＳＭＳがあることを基地局に知らせる。ＲＮＧ−ＲＥＱは、ＳＭＳ要求パラメータとサービング（ｓｅｒｖｉｎｇ）ＢＳＩＤを含むことができる。サービングＢＳＩＤパラメータは、Ｍ２Ｍ装置が最終的に連結された基地局のＩＤを指示する。
【００６８】
表５は、ＲＮＧ−ＲＥＱに含まれることができるパラメータの一例を示す。
【００６９】
【表５】
2013005430.tif 000007
表５でＭ２Ｍ  ＳＭＳ要求（ｒｅｑｕｅｓｔ）パラメータは、Ｍ２Ｍ装置が基地局にＵＬ  ＳＭＳを送信することを所望する時、これを知らせるインジケータである。Ｍ２Ｍ  ＳＭＳパラメータはＵＬ  Ｍ２Ｍ  ＳＭＳメッセージを運ぶ。ＵＬ  Ｍ２Ｍ  ＳＭＳメッセージは最大１４０バイトである。Ｍ２Ｍ  ＳＭＳ確認（ｃｏｎｆｉｒｍａｔｉｏｎ）パラメータは、ＤＬ  ＳＭＳが基地局から送信される時、Ｍ２Ｍ装置がＳＭＳを成功的に受信したかどうかを指示する。
【００７０】
段階Ｓ１３０で基地局はＭ２Ｍ装置にレンジング応答メッセージ（ＲＮＧ−ＲＳＰ）を送信する。
【００７１】
ＲＮＧ−ＲＳＰは、ＳＭＳ応答（ｒｅｓｐｏｎｓｅ）パラメータ、臨時伝送ＣＩＤ（ｔｅｍｐ  ｔｒａｎｓｐｏｒｔ  ＣＩＤ）、臨時ＣＩＤ、及びＣＩＤアップデートＴＬＶ（ＣＩＤ＿ｕｐｄａｔｅ  ＴＬＶ）を含むことができる。ＳＭＳ応答パラメータは、Ｍ２Ｍ装置のＳＭＳ送信を許容するインジケータである。臨時伝送ＣＩＤは、暗号化（ｅｎｃｒｙｐｔｉｏｎ）されたＳＭＳ送信のために使われることができる。臨時伝送ＣＩＤとアイドルモードに進入する時に維持されたサービスフローは、ＣＩＤアップデートＴＬＶにより互いにマッピングされることができる。臨時ＣＩＤは、ＳＭＳ送信に使われるリソースの割当のためのものである。臨時伝送ＣＩＤ及び臨時ＣＩＤは、臨時ＣＩＤタイマの動作中にのみ有効である。ＲＮＧ−ＲＳＰは、アイドルモードで維持されているサービスフローでの端末状態情報を選択的に含むことができる。
【００７２】
表６は、ＲＮＧ−ＲＳＰに含まれることができるパラメータの一例を示す。
【００７３】
【表６】
2013005430.tif 000008
表６でＭ２Ｍ  ＳＭＳ応答（ｒｅｐｏｎｓｅ）パラメータは、Ｍ２Ｍ装置のＵＬ  ＳＭＳ送信を許容することを知らせるインジケータである。臨時ＣＩＤタイマ（Ｔｅｍｐ  ＣＩＤ  ｔｉｍｅｒ）パラメータは、臨時ＣＩＤ及び／または臨時伝送ＣＩＤが有効な期間を指示する。一方、臨時ＣＩＤは、基本ＣＩＤと同じであり、基本ＣＩＤは、Ｍ２Ｍ装置がＵＬ  ＳＭＳを送信するためのリソースの割当のために使われる。Ｍ２Ｍ  ＳＭＳ確認パラメータは、以後にＭ２Ｍ装置がＵＬ  ＳＭＳを送信する時、基地局がこれを成功的に受信したかどうかを指示する。Ｍ２Ｍ  ＳＭＳパラメータはＤＬ  Ｍ２Ｍ  ＳＭＳメッセージを運ぶ。ＤＬ  Ｍ２Ｍ  ＳＭＳメッセージは最大１４０バイトである。
【００７４】
段階Ｓ１４０でＭ２Ｍ装置は基地局に暗号化されたＵＬ  ＳＭＳを送信する。アイドルモード維持情報でＢｉｔ１が１に設定されることによってＰＫＭ関連端末サービスと動作情報が維持され、アイドルモードで維持されているサービスフローと臨時伝送ＣＩＤはＣＩＤアップデートＴＬＶによりマッピングされる。これによって、ＵＬ  ＳＭＳが暗号化されることができる。
【００７５】
段階Ｓ１５０で基地局はＭ２Ｍ装置にＲＮＧ−ＲＳＰを送信し、ＵＬ  ＳＭＳを受信したことをＭ２Ｍ装置に知らせる。
【００７６】
段階Ｓ１６０で臨時ＣＩＤタイマが満了される。
【００７７】
前述したように、提案されたデータ送信方法により、Ｍ２Ｍ装置は最適化（ｏｐｔｉｍｉｚｅｄ）されたネットワーク再進入を実行してＵＬ  ＳＭＳを送信することと類似に動作することができる。Ｍ２Ｍ装置は、新たなサービスフローが生成されないことを除き、臨時伝送ＣＩＤなどの割当を受ける点等で最適化されたネットワーク再進入と類似の動作を実行する。これによって、Ｍ２Ｍ装置はアイドルモードでも効率的にＵＬ  ＳＭＳを送信することができる。一方、Ｍ２Ｍ装置がアイドルモードで動作するため、臨時ＣＩＤタイマが満了された以後に再びアイドルモードに進入する必要がない。
【００７８】
図８は、提案されたデータ送信方法の他の実施例を示す。
【００７９】
段階Ｓ２００でＭ２Ｍ装置は基地局に対してシンジングを実行する。基地局はＭ２Ｍ装置にＵＬ−ＭＡＰを送信し、Ｍ２Ｍ装置は基地局にレンジングコードを送信し、また、基地局はＭ２Ｍ装置にＲＮＧ−ＲＳＰを送信してシンジングを完了する。
【００８０】
Ｍ２Ｍ装置がＵＬ  ＳＭＳを送信するために２段階のＲＮＧ−ＲＥＱ／ＲＳＰ交換過程が実行されることができる。
【００８１】
段階Ｓ２１０は、１段階ＲＮＧ−ＲＥＱ／ＲＳＰ交換過程を示す。段階Ｓ２１１で基地局はＭ２Ｍ装置にＵＬ−ＭＡＰを送信する。段階Ｓ２１２でＭ２Ｍ装置は基地局にＭ２Ｍ  ＳＭＳ要求パラメータを含むＲＮＧ−ＲＥＱを送信し、送信するＵＬ  ＳＭＳがあることを知らせる。基地局がＭ２Ｍ  ＳＭＳ要求パラメータを含むＲＮＧ−ＲＥＱを成功的に受信した場合、基地局はＵＬ  ＳＭＳの送信を許容すかどうかを決定することができる。段階Ｓ２１３で基地局はＵＬ  ＳＭＳ送信の許容可否を決定し、Ｍ２Ｍ  ＳＭＳ応答パラメータを含むＲＮＧ−ＲＳＰをＭ２Ｍ装置に送信する。Ｍ２Ｍ  ＳＭＳ応答パラメータは、ＵＬ  ＳＭＳ送信許容可否によってＭ２Ｍ装置がどのように動作するかに対する行動コード（ａｃｔｉｏｎ  ｃｏｄｅ）を含む。基地局がＵＬ  ＳＭＳ送信を許容した場合、前記ＲＮＧ−ＲＳＰはＵＬ  ＳＭＳ送信のためのリソース割当のために使われる基本ＣＩＤ及び臨時ＣＩＤタイマを含む。一方、固定されたＭ２Ｍ装置の場合、段階Ｓ２１２で送信されるＲＮＧ−ＲＥＱは、位置アップデート（ｌｏｃａｔｉｏｎ  ｕｐｄａｔｅ）に関する情報を含むことができ、ページング関連パラメータは、シグナリングオーバーヘッド（ｓｉｇｎａｌｉｎｇ  ｏｖｅｒｈｅａｄ）を減らすために含まれなくてもよい。これは、基地局がＭ２Ｍ装置の移動性（ｍｏｔｉｌｉｔｙ）に関連された情報を知っているためである。
【００８２】
段階Ｓ２２０は、２段階ＲＮＧ−ＲＥＱ／ＲＳＰ交換過程を示す。基地局がＵＬ  ＳＭＳ送信を許容しない場合、Ｍ２Ｍ装置は、基地局が指示した行動コードによって動作する。基地局がＵＬ  ＳＭＳ送信を許容した場合、段階Ｓ２２１で基地局はＭ２Ｍ装置にＵＬ−ＭＡＰを送信する。前記ＵＬ−ＭＡＰは、Ｍ２Ｍ装置が送信するＲＮＧ−ＲＥＱのための帯域幅割当を含むことができる。この時、帯域幅割当は基地局により送信された基本ＣＩＤに基づいて割り当てられることができる。段階Ｓ２２２でＭ２Ｍ装置は基地局にＭ２Ｍ  ＳＭＳパラメータを含むＲＮＧ−ＲＥＱを送信する。基地局がＵＬ  ＳＭＳを成功的に受信した場合、段階Ｓ２２３で基地局はＭ２Ｍ装置にＭ２Ｍ  ＳＭＳ確認パラメータを含むＲＮＧ−ＲＳＰを送信することができる。基本ＣＩＤは、Ｍ２Ｍ装置が最終的にＭ２Ｍ  ＳＭＳ確認パラメータを受信したり、臨時ＣＩＤタイマが満了された場合に解除（ｒｅｌｅａｓｅ）される。
【００８３】
図８のデータ送信方法において、Ｍ２Ｍ装置が割り当てられた帯域幅がＲＮＧ−ＲＥＱにＵＬ  ＳＭＳをピギーバック（ｐｉｇｇｙｂａｃｋ）して送信するのに十分であると認識する場合、１段階ＲＮＧ−ＲＥＱ／ＲＳＰ交換過程が省略されることができる。
【００８４】
一方、ＳＭＳの暗号化を保障するためにカウンター基盤（ｃｏｕｎｔｅｒ  ｂａｓｅｄ）ＴＥＫ（ｔｒａｆｆｉｃ  ｅｎｃｒｙｐｔｉｏｎ  ＫＥＹ）生成方法を用いたＳＭＳ送信方法が提案されることができる。提案された方法によると、基地局とＭ２Ｍ装置は、各々ＴＥＫをプリアップデート（ｐｒｅ−ｕｐｄａｔｅ）し、シンジングを実施して同期化を実行した後、暗号化されたＳＭＳを送信する。
【００８５】
図９は、提案されたデータ送信方法の他の実施例を示す。
【００８６】
段階Ｓ３００でＭ２Ｍ装置は基地局にＭ２Ｍ  ＳＭＳ要求パラメータを含むＲＮＧ−ＲＥＱを送信する。これによって、要求するＵＬ  ＳＭＳがあることを基地局に知らせることができる。
【００８７】
段階Ｓ３１０で基地局はＭ２Ｍ装置にＲＮＧ−ＲＥＱに対する応答としてＭ２Ｍ  ＳＭＳ応答パラメータを含むＲＮＧ−ＲＳＰを送信する。基地局はＵＬ  ＳＭＳ送信の許容可否を決定することができる。基地局がＵＬ  ＳＭＳ送信を許容しない場合、Ｍ２Ｍ装置は基地局がＲＮＧ−ＲＳＰを介して指示した行動コードによって動作する。Ｍ２Ｍ装置はバックオフ（ｂａｃｋｏｆｆ）後に再び進入を試みることができる。
【００８８】
基地局がＵＬ  ＳＭＳ送信を許容した場合、前記ＲＮＧ−ＲＳＰは臨時ＣＩＤを含む。臨時ＣＩＤは、臨時ＣＩＤタイマの動作中にＵＬ  ＳＭＳの送信及びＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）メッセージ送信のためのアップリンクリソースの割り当てに使われる。また、ＴＥＫ寿命値（ｌｉｆｅｔｉｍｅ  ｖａｌｕｅ）がＲＮＧ−ＲＳＰに含まれることができ、これによって生成されたＴＥＫの寿命がアップデートされることができる。
【００８９】
段階Ｓ３２０でＭ２Ｍ装置と基地局はカウンター基盤ＴＥＫ生成を実行してＴＥＫをプリアップデートする。カウンター基盤ＴＥＫ生成方法は、ＩＥＥＥ  Ｓｔｄ  ８０２．１６ＴＭ−２００９（Ｒｅｖｉｓｉｏｎ  ｏｆ  ＩＥＥＥ  Ｓｔｄ  ８０２．１６−２００４）の７．２．２．２．６．１節を参照することができる。ＴＥＫは、数式１により生成されることができる。
【００９０】
【数１】
2013005430.tif 000009
数式１でＫＥＫ＿ｐｒｉｍｅ＝Ｄｏｔ１６ＫＤＦ（ＫＥ，“ＫＥＫ  ｆｏｒ  ＴＥｋ  Ｇｅｎｅｒａｔｉｏｎ”，１２８）で計算されることができ、ＣＭＡＣ＿ＫＥＹ＿ＣＯＵＮＴ＿ＴはトラフィックのためのＣＭＡＣ−ＫＥＹ＿ＣＯＵＮＴを示す。
【００９１】
一方、段階Ｓ３００で基地局の受信するＲＮＧ−ＲＥＱはＣＭＡＣ＿ＫＥＹ＿ＣＯＵＮＴＴＬＶを含むことができる。基地局が受信したＣＭＡＣ＿ＫＥＹ＿ＣＯＵＮＴ値が格納している値と異なると、基地局は受信したＣＭＡＣ＿ＫＥＹ＿ＣＯＵＮＴ値にアップデートしてＴＥＫを再び生成する。
【００９２】
段階Ｓ３３０でＭ２Ｍ装置は基地局に暗号化されたＵＬ  ＳＭＳを送信する。Ｍ２Ｍ装置は、臨時ＣＩＤを用いてアップリンクリソースの割当を受け、プリアップデートされたＴＥＫを用いて暗号化されたＵＬ  ＳＭＳを送信することができる。
【００９３】
段階Ｓ３４０で基地局はＭ２Ｍ装置にＭ２Ｍ  ＳＭＳ確認パラメータを含むＲＮＧ−ＲＳＰを送信する。
【００９４】
図１０は、提案されたデータ送信方法の他の実施例を示す。
【００９５】
段階Ｓ４００でＤＬ  ＳＭＳの送信のためのサービスフローが生成され、段階Ｓ４１０でＭ２Ｍ装置はアイドルモードに進入する。サービスフローの生成は、Ｍ２Ｍ装置により始まったり、基地局により始まることができる。サービスフローが生成される時、ページングプリファレンスパラメータの値が１に設定されることができる。これによって、ＤＬ  ＳＭＳの送信のために生成されたサービスフローはアイドルモードでも維持されることができ、Ｍ２Ｍ装置はアイドルモードで新たなサービスフローを生成せずにＳＭＳを送信することができる。また、アイドルモード維持情報でＢｉｔ１、２、６及び７の値が１に設定されることができる。これによって、ＰＫＭと関連された端末サービスと動作情報、登録と関連された端末サービスと動作情報、及び以外の端末状態情報が維持されることができる。
【００９６】
段階Ｓ４２０で基地局はＭ２Ｍ装置に放送ページングメッセージ（ＭＯＢ−ＰＡＧ−ＡＤＶ）を送信し、送信するＤＬ  ＳＭＳがあることを指示する。
【００９７】
段階Ｓ４３０でＭ２Ｍ装置は基地局にＲＮＧ−ＲＥＱを送信し、ＤＬ  ＳＭＳの送信を要求する。ＲＮＧ−ＲＥＱは、表５のパラメータにＭ２Ｍ  ＳＭＳ要求パラメータを含むことができる。
【００９８】
段階Ｓ４４０で基地局はＭ２Ｍ装置にレンジング応答メッセージ（ＲＮＧ−ＲＳＰ）を送信する。ＲＮＧ−ＲＳＰは、ＳＭＳ応答パラメータ、臨時伝送ＣＩＤ、臨時ＣＩＤ、及びＣＩＤアップデートＴＬＶを含むことができる。臨時伝送ＣＩＤは、暗号化されたＳＭＳ送信のために使われることができる。臨時伝送ＣＩＤとアイドルモードに進入する時に維持されたサービスフローはＣＩＤアップデートＴＬＶにより互いにマッピングされることができる。臨時ＣＩＤはＳＭＳ送信に使われるリソースの割当のためのものである。臨時伝送ＣＩＤ及び臨時ＣＩＤは、臨時ＣＩＤタイマの動作中にのみ有効である。ＲＮＧ−ＲＳＰは、アイドルモードで維持されているサービスフローでの端末状態情報を選択的に含むことができる。
【００９９】
段階Ｓ４５０で基地局はＭ２Ｍ装置に暗号化されたＤＬ  ＳＭＳを送信する。アイドルモード維持情報でＢｉｔ１が１に設定されることによってＰＫＭ関連端末サービスと動作情報が維持され、アイドルモードで維持されているサービスフローと臨時伝送ＣＩＤは、ＣＩＤアップデートＴＬＶによりマッピングされる。これによってＤＬ  ＳＭＳが暗号化されることができる。
【０１００】
段階Ｓ４６０でＭ２Ｍ装置は基地局にＲＮＧ−ＲＳＰを送信し、ＤＬ  ＳＭＳを受信したことを基地局に知らせる。ＲＮＧ−ＲＳＰは、表６のパラメータにＭ２Ｍ  ＳＭＳ確認パラメータを含むことができる。
【０１０１】
図１１は、提案されたデータ送信方法の他の実施例を示す。
【０１０２】
段階Ｓ５００で基地局はＭ２Ｍ装置にＭＯＶ−ＰＡＧ−ＡＤＶを送信する。この時、ＭＯＶ−ＰＡＧ−ＡＤＶの行動コードは位置アップデートを指示することができる。
【０１０３】
段階Ｓ５１０でＭ２Ｍ装置は基地局にレンジングコードを含むＲＮＧ−ＲＥＱを送信し、段階Ｓ５２０で基地局はＭ２Ｍ装置にこれに対する応答を含むＲＮＧ−ＲＳＰを送信する。これによってレンジングが完了する。
【０１０４】
段階Ｓ５３０でＭ２Ｍ装置は基地局にＲＮＧ−ＲＥＱを送信し、段階Ｓ５４０で基地局にＭ２Ｍ装置にＭ２Ｍ  ＳＭＳパラメータ、基本ＣＩＤ、及び臨時ＣＩＤタイマを含むＲＮＧ−ＲＳＰを送信する。ＲＮＧ−ＲＳＰを受信したＭ２Ｍ装置は、ＲＮＧ−ＲＥＱを送信する帯域幅割当を待つことができる。
【０１０５】
段階Ｓ５５０でＭ２Ｍ装置は基地局にＭ２Ｍ  ＳＭＳ確認パラメータを含むＲＮＧ−ＲＥＱを送信する。
【０１０６】
一方、ＤＬ  ＳＭＳの送信時にもＤＬ  ＳＭＳの暗号化を保障するためにカウンター基盤ＴＥＫ生成方法を用いたＳＭＳ送信方法が提案されることができる。
【０１０７】
図１２は、提案されたデータ送信方法の他の実施例を示す。
【０１０８】
段階Ｓ６００で基地局はＭ２Ｍ装置に放送ページングメッセージを送信し、送信するＤＬ  ＳＭＳがあることを知らせる。
【０１０９】
段階Ｓ６１０でＭ２Ｍ装置と基地局は、カウンター基盤ＴＥＫ生成方法によりＴＥＫをプリアップデートする。カウンター基盤ＴＥＫ生成方法は、ＩＥＥＥ  Ｓｔｄ  ８０２．１６ＴＭ−２００９（Ｒｅｖｉｓｉｏｎ  ｏｆ  ＩＥＥＥ  Ｓｔｄ  ８０２．１６−２００４）の７．２．２．２．６．１節を参照することができる。ＴＥＫは、数式１により生成されることができる。
【０１１０】
段階Ｓ６２０でＭ２Ｍ装置は基地局にＲＮＧ−ＲＥＱを送信する。この時の行動コードは位置アップデートである。段階Ｓ６３０で基地局はＭ２Ｍ装置に臨時ＣＩＤを含むＲＮＧ−ＲＳＰを送信する。臨時ＣＩＤはＤＬ  ＳＭＳ送信のためのリソース割当に使われる。また、ＲＮＧ−ＲＳＰはＴＥＫ寿命値を含むことができる。
【０１１１】
段階Ｓ６４０で基地局はＭ２Ｍ装置に暗号化されたＤＬ  ＳＭＳを送信する。基地局は割当を受けた臨時ＣＩＤに基づいてＤＬリソースの割当を受け、生成されたＴＥＫを用いて暗号化されたＤＬ  ＳＭＳを送信することができる。
【０１１２】
段階Ｓ６５０でＭ２Ｍ装置は基地局にＭ２Ｍ  ＳＭＳ確認パラメータが含まれたＲＮＧ−ＲＥＱを送信する。
【０１１３】
図１３は、本発明の実施例が具現される無線通信システムのブロック図である。
【０１１４】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【０１１５】
Ｍ２Ｍ装置９００は、プロセッサ９１０、メモリ９２０、及びＲＦ部９３０を含む。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／または受信する。
【０１１６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１１７】
前述した例示的なシステムで、方法は一連の段階またはブロックで順序図に基づいて説明されているが、本発明は段階の順序に限定されるものではなく、ある段階は前述と異なる段階と異なる順序にまたは同時に発生することができる。また、当業者であれば、順序図に示す段階が排他的でなく、他の段階が含まれたり、順序図の一つまたはその以上の段階が本発明の範囲に影響を及ぼさずに削除可能であることを理解することができる。
【０１１８】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての他の交替、修正及び変更を含む。
【０１１９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図１】
2013005430.tif 000010
【図２】
2013005430.tif 000011
【図３】
2013005430.tif 000012
【図４】
2013005430.tif 000013
【図５】
2013005430.tif 000014
【図６】
2013005430.tif 000015
【図７】
2013005430.tif 000016
【図８】
2013005430.tif 000017
【図９】
2013005430.tif 000018
【図１０】
2013005430.tif 000019
【図１１】
2013005430.tif 000020
【図１２】
2013005430.tif 000021
【図１３】
2013005430.tif 000022